【事件の表示】
　上記当事者間の特許第３９１９００５号発明「複合サッシの下枠構造」の特許無効審判事件について、次のとおり審決する。
【結　論】
　特許第３９１９００５号の請求項１に係る発明についての特許を無効とする。
　審判費用は、被請求人の負担とする。
【理　由】
 第１　手続の経緯
　平成１４年　９月３０日：出願（特願２００２−２８６３８９号）
　平成１９年　２月２３日：特許権の設定登録
　平成２１年　３月１６日：本件審判請求
　平成２１年　６月　８日：被請求人より答弁書、訂正請求書（平成２１年９月１１日取下）提出
　平成２１年　７月１５日：請求人より弁駁書提出       
　平成２１年　９月２５日：口頭審理 　 
　平成２１年　９月２９日：請求人より上申書提出
　平成２１年１０月１６日：被請求人より上申書提出
　
第２　当事者の主張  
１．請求人の主張  
　請求人は、特許第３９１９００５号の請求項１に係る発明についての特許を無効とする、審判費用は被請求人の負担とするとの審決を求め、その理由として、以下の無効理由を主張し、証拠方法として、甲第１号証ないし甲第５号証を提出した。
　
［無効事由］
　本件特許の請求項１に係る発明は、甲第１号証ないし甲第４号証に記載された発明に基づき当業者が容易に発明できたものであり、特許法第２９条第２項の規定により特許を受けることができないものであり、その特許は同法第１２３条第１項第２号の規定により無効とされるべきものである。　
　
［証拠方法］
　甲第１号証：特開平９−２０９６６４号公報
　甲第２号証：特開平１０−３３１５２６号公報
　甲第３号証：特開２００２−１２１９６９号公報
　甲第４号証：特開平９−１５８６２９号公報
　甲第５号証：特開平９−２３５９４９号公報
　
２．被請求人の主張
　被請求人は、答弁書を提出し、本件審判請求は成り立たない、審判費用は請求人の負担とするとの審決を求め、口頭審理及び上申書において、概ね、以下のように反論し、証拠方法として乙第１号証ないし乙第１９号証を提出した。
　
［無効理由に対する反論の概要］
（１）甲第１号証は、ビル用のサッシであって、アルミ合金等の金属製と判断され、プレート３５は、耐強度の維持を図るためのものであり、下枠と同様アルミ合金製と理解され、段差解消及び見た目の体裁の向上のための「下枠カバー」ではないし、屋内側と屋外側で材質及び色を変えることは想定していない。
（２）甲第２号証の複合サッシは住宅用であり、外側樹脂下枠３２ａは、見付け方向の半分にのみ設けられているもので、甲第１号証のビル用サッシに甲第２号証の複合サッシを採用する動機付けはなく、屋外側に金属下枠カバーを取り付けることを予想させるものではない。
　また、甲第２号証のサッシは、内レールと外レールの頂部の高さが異なるタイプであり、本件発明の内レールと外レールの頂部の高さを同じにしたタイプとは異なる。
（３）甲第３号証のものは、上げ下げ窓であり、内外レールの高さを同じとする概念、「内レールと外レール間」との概念が存在しない。また、甲第３号証の請求項１記載の発明は、屋内側樹脂枠の取付溝に樹脂部材及び金属部材を設けるものであり、本件特許発明の段差の解消、並びに「内レールと外レールとの間の溝が全体的に底上げされ、見た目の体裁がよくなる」との作用効果を予想させるものではない。
（４）よって、本件特許発明は、甲第１号証ないし甲第４号証に記載された発明に基いて当業者が容易に想到することができない発明であり、請求人が主張する無効理由はない。
　
［証拠方法］
　乙第１号証：実開昭６１−２２８９１号公報及び実願昭５９−１０７３５０号（実開昭６１−２２８９１号）のマイクロフイルムの写し
　乙第２号証：実公平３−１７０３８号公報
　乙第３号証の１：ＹＫＫ　ＡＰ株式会社のホームページにおける大型引戸「ＹＡＴ−１００　ＲＣ枠」の図面の画面の写し
　乙第３号証の２：ＹＫＫ　ＡＰ株式会社のホームページにおける大型引戸「ＹＡＴ−１００　ＲＣ枠」の説明画面よりダウンロードしたＣＡＤデータを、被請求人において着色などの加工を行なったうえでプリントアウトした図面
　乙第４号証：ＹＫＫ　ＡＰ株式会社のホームページにおける大型引戸「ＹＡＴ−１００」の説明画面の写し
　乙第５号証：三協立山アルミ株式会社のホームページにおける「ヘーベシーべ」の説明画面の写し
　乙第６号証：実願昭６０−１００９５２号（実開昭６２−９６７７号）のマイクロフイルムの写し
　乙第７号証：実願昭５９−９４５７４号（実開昭６１−１１８６６号）のマイクロフイルムの写し
　乙第８号証：国際公開０２／０４４５０６パンフレット（ＷＯ　０２／４４５０６　Ａ１）
　乙第９号証：実願昭６１−５２５５３号（実開昭６２−１６５３８４号）のマイクロフイルムの写し
　乙第１０号：特開２００６−１１８２９０号公報
　乙第１１号証：実願昭５９−９２５４５号（実開昭６１−８２７８号）のマイクロフイルムの写し
　乙第１２号証：実願平１−１１６７４６号（実開平３−７４７８７号）のマイクロフイルムの写し
　乙第１３号証：ＹＹＫアーキテクチュラルプロダクツ株式会社「ビル用総合カタログ’９８−’９９　ウインドウ・ドア編」４３０〜４３１頁
　乙第１４号証：三協アルミニウム工業株式会社「ビル用建材総合カタログ」（カタログＮｏ．ＨＨ１３４２Ａ）１９９９年、５４７〜５４８頁
　乙第１５号証：トステム株式会社「ビル用総合カタログ　第５版」１９９６年、５３２〜５３３頁
　乙第１６号証：トステム株式会社「ビル用総合カタログ　’０３」２００３年３月１日発行、Ｉ−５７、５３０〜５３１頁
　乙第１７号証：不ニサッシ株式会社「Ｂｕｉｌｄｉｎｇ　Ａｌｍｉｎｕｍ　Ｗｉｎｄｏｗｓ　ａｎｄ　Ｄｏｏｒｓ　９０年ビル用総合カタログ」平成２年３月１０日発行、３５８〜３６３頁
　乙第１８号証：立山アルミニウム工業株式会社「ＢＵＩＬＤＩＮＧ　ビル建材総合カタログ」（カタログコード500005　97-1-3.(3)）１９９７年　１８０〜１８２頁　
　乙第１９号証：アルミ防火戸認定推進協議会「アルミニウム製乙種防火戸　標準仕様書」１９９７年１０月、１０頁
　
第３　本件特許発明  
　本件特許の請求項１に係る発明は、特許明細書の特許請求の範囲の請求項１に記載された事項により特定される次のとおりのものと認める。 
 「窓開口部に装着されるアルミニウム製金属枠と該金属枠の屋内側に配置された樹脂枠とを備えた窓枠内に、屋内側の内障子と屋外側の外障子からなる１対の引き違い障子を摺動自在に支持した複合サッシにおいて、上記窓枠の下枠に設けられてレール頂部の高さを同じにした内レールと外レールとの間に、上記障子が閉じた状態で外障子を支持する外レールの屋内側部位には、屋内側の樹脂枠と同色の樹脂下枠カバーを取り付け、内障子を支持する内レールの屋外側部位には屋外側の金属枠と同色の金属下枠カバーを取り付けるとともに、上記樹脂下枠カバーと金属下枠カバーは脚部を有し、互いに中央気密ブロックを介して突合せ連続して高さが同じ一連のカバーを構成可能とすることを特徴とする複合サッシの下枠構造。」（以下、「本件特許発明」という。）
　
第４　当審の判断
１．甲号各証の記載内容  
（１）甲第１号証（特開平９−２０９６６４号公報）には図面と共に次の事項が記載されている。
（1a）「【０００１】
【発明の属する技術分野】本発明は、サッシ枠に内障子と外障子を面内方向に移動自在に装着した引違いサッシにおいて召合せ部から雨水が室内側に浸入しないようにする召合せ部の水密構造に関する。
【０００２】
【従来の技術】引違いサッシにおいては、内・外障子を閉じた時に内障子の召合せ框と外障子の召合せ框との間を水密しているが、各召合せ框の下面と下枠との間に空間があるので、その空間より雨水が室内側に浸入する。
【０００３】このために、例えば実開昭６１−２２８９１号公報に示すように、下枠の召合せ部に風止部材を取付け、内・外障子の各召合せ框の下面を風止部材に接して雨水が室内側に浸入しないようにしてある。
【０００４】
【発明が解決しようとする課題】外障子の召合せ框下面と風止部材との接触部は室外側に露出しているから、その接触部分を伝わって雨水が毛細管現象により室内側まで浸入することがあり、十分な水密性能が得られない。
【０００５】そこで、本発明は前述の課題を解決できるようにした引違いサッシの召合せ部水密構造を提供することを目的とする。」、
(1b)「【０００８】
【発明の実施の形態】図１に示すように、サッシ枠１は上枠２と下枠３と一方の縦枠４と他方の縦枠５を方形枠組みしたものである。このサッシ枠１の室内寄りに内障子６、室外寄りに外障子７が面内方向に移動自在にそれぞれ装着されて引違いサッシを構成している。」、
(1c)「【００１０】前記内障子６の戸当り框１１、外障子７の戸当り框１６にはハンドル１８が取付けてあり、このハンドル１８を矢印方向に回動すると内障子６、外障子７が上方に移動し、ハンドル１８を図１に示す状態とする内障子６、外障子７が下方に移動して図１に示す状態となるようにしてある。この構造は例えば実公平３−１７０３８号公報に示すように従来周知である。」、
(1d)「【００１２】前記室内寄り中間縦板２２の上下中間部と室外寄り中間縦板２３の上下中間部とに亘って中間横板２６を一体的に設けて中空部２７を構成している。この中間横板２６の室内寄りに内立上り片２８、室外寄りに外立上り片２９をそれぞれ一体的に設けて内レール取付凹部３０と下レール取付凹部３１と凹部３２を形成している。」、
(1e)「【００１３】前記内レール取付凹部３０には中空形状の内下レール３３が嵌合して取付けられ、外レール取付凹部３１には中空形状の外下レール３４が嵌合して取付けてある。前記凹部３２は閉塞部材、例えばプレート３５で閉塞してあり、凹部３２とプレート３５で補助中空部３６を構成している。」、
(1f)「【００１４】前記内立上り片２８の上部と外立上り片２９の上部に係止部となる突片３７が相対向して一体的に設けてあり、前記プレート３５の幅方向両側下面には被係合となるＬ字片３８がそれぞれ一体的に設けてあり、このＬ字片３８を前記突片３７に長手方向よりスライドして係合することでプレート３５を取付けてある。」、
(1g)「【００２２】前記プレート３５は図５に示すように、召合せ部を境として外障子側プレート３５ａと内障子側プレート３５ｂに分割され、下枠３の凹部３２は召合せ部において開放しており、その開放した下枠３の凹部３２に風止部材７０が図５，図６，図７に示すように取付けてある。」、
(1h)「【００２３】前記風止部材７０は、凹部３２に一対の風止ブロック７１を長手方向に間隔を置いてビス７２で取付け、各風止ブロック７１の上面にシリコーンスポンジ等より成る柔軟性プレート７３を接着剤又は両面テープなどでそれぞれ貼着してある。前記風止ブロック７１の室内外方向の両側面には凹溝７４が形成され、この凹溝７４と内立上り片２８、外立上り片２９との間に湿式シール材７５をそれぞれ充填して水密してある」、
(1i)「【００２７】このようであるから、内・外障子６，７を閉じて下方に移動すると内召合せ框１０の下面及び外召合せ框１５の下面が柔軟性プレート７３にそれぞれ接して下枠３と内・外障子召合せ部下面との間を水密する。」、
(1j)「【００３１】前記風止部材７０は図９に示すように、一対の風止ブロック７１の下部を一対の連結材７８で一体的に連結し、その連結部分に開口部７９を有するものとしても良い。
【００３２】前記風止部材７０は図１０に示すように、一対の風止ブロック７１の下部をプレート８０で一体的に連結し、そのプレート８０に排水用の孔８１を形成したものとしても良い。」、
(1k)「【００３４】以上の実施例では内・外障子６，７を上下に移動する特殊な形式の引違いサッシについて述べたが、下枠に内・外下レールを一体的に設けて内・外障子６，７を面内方向にのみ移動して開閉する通常の引違いサッシでも良いことは勿論である。」。
(1l)【図３】には次の図面が記載され、窓枠の下枠に設けられた内レールと外レールのレール頂部の高さがを同じであることが示されている。
(1m)【図６】には、外障子側プレート３５ａと内障子側プレート３５ｂとは、互いに中央風止部材７０を介して突合せて配置され、高さが同じ一連のプレートを構成していることが示されている。
　
　これらの記載によれば、甲第１号証には、次の発明が記載されていると認められる。
「窓枠内に、屋内側の内障子と屋外側の外障子からなる１対の引き違い障子を摺動自在に支持したサッシにおいて、上記窓枠の下枠に設けられてレール頂部の高さを同じにした内レールと外レールとの間に、プレート３５ａ、３５ｂを取り付けるとともに、上記プレート３５ａ、３５ｂは、内レールと外レールに係合するＬ字片３８を有し、互いに中央風止部材７０を介して突合せ連続して高さが同じ一連のプレート３５を構成するサッシの下枠構造。」（以下、「甲第１号証記載の発明」という。）
　
（２）甲第２号証（特開平１０−３３１５２６号公報）には、図面とともに次の事項が記載されている。
(2a)「【請求項１】  上枠、下枠及び両縦枠を枠組みした窓枠に内障子及び外障子を組み込んだ引違い窓において、
前記窓枠は、アルミ枠と当該アルミ枠の屋内側見えがかり部分に組み込んだ樹脂枠とで構成され、
前記内障子の框及び前記外障子の框は、アルミ框と当該アルミ框の屋内側見えがかり部分に組み込んだ樹脂框とでそれぞれ構成されていることを特徴とする引違い窓。」、
(2b)「【０００７】・・・上枠及び下枠には、内障子用の内側レールと外障子用の外側レールとがそれぞれ形成されており、樹脂枠は、上枠の少なくとも内側レールの位置から屋内側の屋内側見えがかり部分と、下枠の少なくとも内側レールの位置から屋内側の屋内側見えがかり部分と、内外両障子が閉じた状態における縦枠の屋内側見えがかり部分とに配設されていることが、好ましい。またこの場合、樹脂枠は、上枠の下面及び屋内に面する部位と、下枠の上面でかつ内外両障子が閉じた状態で屋内に面する部位と、縦枠の屋内側の側面でかつ内外両障子が閉じた状態で屋内に面する部位および屋内に面する部位とに配設され、樹脂框は、内外各障子の框の屋内に面する部位に配設されていることが、好ましい。・・・同様に、樹脂枠は、下枠の上面でかつ内外両障子が閉じた状態で屋内に面する部位のうちの内側レールの屋外側部分に、樹脂下枠片を有することが、好ましい。・・・」、
(2c)「【０００９】窓枠２は、アルミ枠７とこれを屋内側から覆う樹脂枠８とで構成される一方、各障子３，４は、アルミ框９とこれを屋内側から覆う樹脂框１０とアルミ框９に組み込んだ複層ガラス１１とで構成されている。このため、・・・屋外側にはアルミ枠７及びアルミ框９が露出し、屋内側には樹脂枠８及び樹脂框１０が露出するようになっている。また、アルミ枠７はアルミ框９と同色に、樹脂枠８は樹脂框１０と同色に、それぞれデザインされ、屋外側と屋内側とでそれぞれに意匠上の統一が図られている。」、
(2d)「【００１４】樹脂下枠３２は、樹脂上枠３１と同様に、外側下レール２６及び内側下レール２７間に配設した外側樹脂下枠３２ａと、内側下レール及び水返し部間に配設した中間樹脂下枠３２ｂと、水返し部からアルミ下枠２２の屋内側端まで延びる内側樹脂下枠３２ｃとの３部材で構成されている。そして、この場合も外側樹脂下枠３２ａは、両障子３，４を閉塞したとに屋内側に露出する見付け方向の半部にのみ設けられている。・・・」。
(2e)【図１】には、外側樹脂下枠３２ａは、脚部を有することが記載されている。
　
　これらの記載によれば、甲第２号証には、次の発明が記載されていると認められる。
「窓開口部に装着されるアルミ枠７と該アルミ枠７の屋内側に配置された樹脂枠８とを備えた窓枠内に、屋内側の内障子と屋外側の外障子からなる１対の引き違い障子を摺動自在に支持した複合サッシにおいて、
　樹脂枠８は、下枠の上面でかつ内外両障子が閉じた状態で屋内に面する部位のうちの内側レールの屋外側部分に、外側樹脂下枠３２ａを有する複合サッシの下枠構造。」（以下、「甲第２号証記載の発明」という。）
　
（３）甲第３号証（特開２００２−１２１９６９号公報）には、図面と共に次の事項が記載されている。
(3a)「【請求項１】  上枠、下枠および左右の縦枠を四周枠組みして形成された窓枠と、この窓枠内に組み込まれた内障子および外障子とを備える上げ下げ窓であって、
前記縦枠の前記内障子側と外障子側とを仕切る仕切部には、上下方向に連続する取付溝が形成され、
前記取付溝において障子を閉めた際に室内側に露出する部分には、内観色部材が取り付けられ、
前記取付溝において障子を閉めた際に室外側に露出する部分には、外観色部材が取り付けられていることを特徴とする上げ下げ窓。」、
(3b)「【０００４】このような上げ下げ窓において、近年、断熱性能および内観を向上させるために、アルミ等の非鉄金属製の室外部材と、樹脂、木等の断熱性部材からなる室内部材とで構成された框を用いた障子が利用されるようになった。同様に、障子が組み込まれるアルミ製の窓枠においても、前記断熱性部材からなる室内部材と同じ色調のカバー材を障子を閉めた際に室内に露出する露出面に取り付けることで、断熱・防露性能を向上させていた。」、
(3c)「【００２７】・・・図１〜図３において、上げ下げ窓１は、図示しない建物の躯体に取り付けられる窓枠１０と、この窓枠１０の室内側（図２における右側）に配置された室内側障子（内障子）７０と、室外側（図２における左側）に配置された室外側障子（外障子）６０とから構成され、閉じた状態では、内障子７０が下側に、外障子６０が上側に配置されるようになっている。
【００２８】窓枠１０は、図１〜図３に示すように、上枠１１、下枠１２と、左右の縦枠１３とを四角枠状に組んで構成されている。上枠１１および左右両端の縦枠１３は、それぞれ非鉄金属であるアルミを押出成形によって一体成形したアルミ形材で構成されている。」、
(3d)「【００３５】前記窓枠１０の上枠１１、下枠１２、縦枠１３には、各枠１１〜１３の室内側露出面部を被覆する断熱性部材からなるカバー材２１，２２，２３が取り付けられている。なお、これらのカバー材２１〜２３によって、窓枠１０の開口内周面において障子６０，７０を閉めた際に室内側に露出する部分（見えがかり部）、つまり窓枠１０における室内露出部が構成されている。」、
(3e)「【００３９】各縦枠１３には、図４にも示すように、外障子６０をガイドするための凹溝状のガイド溝１５が形成されている。このガイド溝１５を構成する室外片１５Ａおよび室内片１５Ｂのうち、室内片１５Ｂの室内側に、前記断熱性のカバー材２３が設けられ、各縦枠１３の室内片１５Ｂよりも室内側の部分、つまり外障子６０、内障子７０を閉めた際に室内側に露出する露出面を被覆している。このため、各障子６０，７０を閉めた際に、縦枠１３においては、カバー材２３が室内側に露出する。
【００４０】カバー材２３には、内障子７０をガイドするための凹溝状のガイド溝１６が形成されている。そして、カバー材２３においてガイド溝１６の室外側を区画する室外片２３Ａと、前記室内片１５Ｂとで、外障子６０および内障子７０を仕切る仕切部４０が形成されている。この仕切部４０、より具体的にはカバー材２３において仕切部４０を構成する室外片２３Ａには、図５にも示すように、上下方向に連続する断面略Ｃ字状の取付溝４１が形成されている。
【００４１】この取付溝４１には、外観色部材４５、風止め板４６、内観色部材４７が差し込まれている。これらの外観色部材４５、風止め板４６、内観色部材４７は、下側からこの順序で並ぶように取付溝４１に差し込まれている。外観色部材４５は、図６の模式図にも示すように、各縦枠１３の下端から召合せ部（各召合せ框６２，７１が配置される部分）まで延長されて配置されている。この外観色部材４５は、図７にも示すように、外障子６０、内障子７０を閉めた際に室外側に露出するため、室外露出部であるアルミ形材からなる縦枠１３と同じ色に着色されている。具体的には、外観色部材４５は縦枠１３と同じアルミ形材で構成され、材質が同じであるため、色もまったく同一に着色されている。
【００４２】内観色部材４７は、各縦枠１３の上端から召合せ部分まで延長されて配置されている。この内観色部材４７は、図８にも示すように、外障子６０、内障子７０を閉めた際に室内側に露出するため、カバー材２３と同じ色に着色されている。具体的には、内観色部材４７は室内露出部であるカバー材２３と同じ合成樹脂で構成され、材質が同じであるため、色もまったく同一に着色されている。なお、外観色部材４５や内観色部材４７は、例えば、塗装やラミネートで着色される。また、内観色部材４７のように合成樹脂で構成される場合には、内観色樹脂原料に顔料を入れて着色してもよい。
【００４３】風止め板４６は、各色部材４５，４７と同様に、取付溝４１に差し込まれて取り付けられており、各色部材４５，４７間に配置されている。風止め板４６は、合成樹脂などからなり、複数のフィン（ヒレ）を備えて構成されている。そして、このフィン部分が外障子６０の竪框６３の側端面と、後述するモヘア（封止部材）７５に接することで、外気が召し合わせ部の端面から室内側に流入しないようにシールしている。」、
(3f)「【００４７】(2) 内観色部材４７を縦枠１３の室内露出部である断熱性カバー材２３と同じ材質で構成し、外観色部材４５を室外露出部である縦枠１３と同じアルミ押出形材で構成したので、色だけでなく、表面の光沢感等の意匠も同一にでき、上げ下げ窓１の内観および外観をより一層向上できる。」。
　
　これらの記載によれば、甲第３号証には、次の発明が記載されていると認められる。
「窓開口部に装着されるアルミニウム製金属窓枠１０と該金属窓枠１０の屋内側に配置された断熱性カバー材２３とを備えた窓枠内に、屋内側の内障子７０と屋外側の外障子６０からなる１対の引き違い障子を上げ下げ自在に支持した上げ下げ窓において、
　上記カバー材２３には、内障子７０をガイドするための凹溝状のガイド溝１６が形成され、ガイド溝１６の室外側を区画する室外片２３Ａと、室内片１５Ｂとで、外障子６０および内障子７０を仕切る仕切部４０が形成され、この仕切部４０には、上下方向に連続する断面略Ｃ字状の取付溝４１が設けられ、
　この取付溝４１には、障子が閉じた状態で室外側に露出する部位には、縦枠１３と同色のアルミ形材で構成された外観色部材４５が取り付けられ、障子が閉じた状態で室内側に露出する部位には、カバー材２３と同色の樹脂製の内観色部材４７を取り付けられるとともに、外観色部材４５と、内観色部材４７は、風止め板４６を介して突き合わせ連続して上げ下げ窓の縦枠構造。」（以下、「甲第３号証記載の発明」という。）
　
（４）甲第４号証（特開平９−１５８６２９号公報）には、図面と共に次の事項が記載されている。
(4a)「【請求項１】  窓用サッシの下枠上面に設けた室外側と室内側との２本のレールの間に水抜き孔を設け、また下枠側面下部にも水抜き孔を設けて、浸入した雨水を水抜き孔を通して室外に排出するようにした窓用サッシの下枠の排水機構において、前記２本のレール間に、該２本のレール間に設けた水抜き孔を覆うように、かつ雨水が流れ込むように僅かに間隔をおいて、開閉自在に構成した蓋を設けて、水抜き孔からの雨水の吹き上げをおさえるようにしたことを特徴とする窓用サッシの下枠の排水機構。」、
(4b)「【０００５】
【発明の実施の形態】・・・図１に示す引違い窓は、上枠、下枠、左右の竪枠を四角状に組合せた窓用サッシ枠に２枚の障子を引違い状に建込んだもので、その下枠は、室内外側の仕切板３，３およびレール４，５を、その高さが皆同じ高さになるように構成して、その下枠上を車椅子等が容易に出入できるようにしたフラット下枠１となっている。・・・そして外部障子用レール４と内部障子用レール５との間は、上面２より僅かに低い樋状部６が形成されており、外部障子の建込み側および内部障子の建込み側の各外部障子用レール４の室内側近傍に、図２に示すように長形状の水抜き孔７，１９が夫々２個所に設けられていて、室外から窓に吹き込んだ雨水を夫々水抜き孔７，１９を通してフラット下枠１の中空状内部に落下させて室外に排出するようになっている。・・・」、
(4c)「【０００６】フラット下枠１の２本のレール４，５の間に形成された樋状部６には、召合せ部を除いてその両側には夫々水抜き孔７，１９を覆うように同形状の蓋１５，１５が設けられている。・・・また蓋１５の先端部の下面には脚部１８が設けられていて、樋状部６の底部に設けた水抜き孔７，１９をふさがないように、また車椅子等の通過に支障を与えないように、フラット下枠１の上面２と面一になるように、樋状部６の底部との間に僅かに間隔を保持するように構成されている。・・・なお蓋１５は先端部と後端部に夫々脚部を設けて、上方より樋状部６にかぶせてビス止めして取付けるようにしてもよく、雨水の吹き上げもおさえることができ、またビスを外して蓋を除去することにより樋状部６の掃除ができるようにしてもよい。・・・」。
　
２．対比 
　本件特許発明と甲第１号証記載の発明を対比する。
　甲第１号証記載の発明の「プレート」は、本件特許発明の「下枠カバー」に相当し、甲第１号証記載の発明の「中央風止部材７０」は、召し合わせ部から、外気が室内に流入するのを防止するものであるから、本件特許発明の「中央気密ブロック」に相当する。
　したがって、両者は、次の一致点及び相違点を有する。
［一致点］
　窓枠内に、屋内側の内障子と屋外側の外障子からなる１対の引き違い障子を摺動自在に支持したサッシにおいて、上記窓枠の下枠に設けられてレール頂部の高さを同じにした内レールと外レールとの間に、障子が閉じた状態で外障子を支持する外レールの屋内側と、内障子を支持する内レールの屋外側部位とに下枠カバーを取り付け、上記下枠カバーは、互いに中央気密ブロックを介して突合せ連続して高さが同じ一連のカバーを構成可能とするサッシの下枠構造。
［相違点１］
　サッシが、本件特許発明では、「アルミニウム製金属枠と該金属枠の屋内側に配置された樹脂枠とを備えた複合サッシ」であるのに対し、甲第１号証記載の発明では、複合サッシではなく、材質は不明な点。
［相違点２］
　本願特許発明は、障子が閉じた状態で外障子を支持する外レールの屋内側部位に取り付けた下枠カバーは、屋内側の樹脂枠と同色の樹脂製であり、内障子を支持する内レールの屋外側部位に取り付けた下枠カバーは、屋外側の金属枠と同色の金属製であるのに対し、甲第１号証記載の下枠カバーは、その材料が明らかではなく、その色も不明な点。
［相違点３］
　下枠カバーが、本件特許発明では、脚部を有しているのに対し、甲第１号証記載の発明では、係合用のＬ字片３８を有しているものの、脚部を有していない点。
　
３．判断
（１）相違点１について検討する。
　甲第１号証記載の発明は、引違いサッシの召合せ部において、外障子の召合せ框下面と風止部材との接触部分を伝わって雨水が毛細管現象により室内側まで浸入することを防止することを課題としたものであるが、このような、風止部材を有する引違いサッシは、住宅用にも、ビル用にも広く用いられているものであって、上記課題は、通常用いられている引違いサッシ全般において存在するものであり、甲第１号証に「下枠に内・外下レールを一体的に設けて内・外障子６，７を面内方向にのみ移動して開閉する通常の引違いサッシでも良い」と記載されていることから（記載事項（1k））、甲第１号証記載の発明は、引違いサッシであれば、どのようなものにも適用できるものであることは明らかである。
　そして、引違いサッシとして、アルミニウム製金属枠の屋内側に樹脂枠を設けた複合サッシは、甲第２号証記載の発明に示されるように，本件特許出願前周知であり、甲第１号証記載の発明を適用するサッシとして、アルミニウム製金属枠と該金属枠の屋内側に配置された樹脂枠とを備えた複合サッシを採用することは当業者が容易になしうることである。
　
　なお、被請求人は、乙第１号証ないし乙第１９号証を提示し、甲第１号証の実施例、甲第１号証に記載の従来例（実開昭６１−２２８９１号公報：乙第１号証）からみて、甲第１号証記載の発明はビル用サッシに係るものであリ、甲第１号証のビル用サッシに、住宅用サッシに関する甲第２号証記載の発明を適用する動機付けはない旨、主張するが、甲第１号証記載のサッシが、ビル用や大型引戸に限定されるものでないことは上記のとおりであり、甲第１号証のサッシに甲第２号証記載の発明を適用することに阻害要因はない。
　また、被請求人は、甲第２号証記載の発明のサッシは、内レールと外レールの頂部の高さが異なるタイプであり、本件特許発明の内レールと外レールの頂部の高さを同じにしたタイプとは異なる旨、主張するが、レールの高さとサッシの材質とは、直接関連するものではなく、内外レールの頂部の高さを同じにした甲第１号証記載の発明のサッシを複合サッシとすることにも困難性はない。
　
（２）次に、上記相違点２について検討する。
　甲第２号証記載の発明には、アルミニウム製金属枠と該金属枠の屋内側に配置された樹脂枠とを備えた複合サッシにおいて、障子が閉じた状態で外障子を支持する屋外側下レールと内側下レール間に外側樹脂下枠３２ａを配置することが示されており、これにより屋内側の意匠上の統一が図られているものである。
　また、甲第３号証記載の発明には、上げ下げ窓の縦枠１３に設けた仕切部４０に、障子を閉めた際に室内側に露出する部分に、窓枠や障子の室内面と同じ色調の内観色部材４７を取付け、室外側に露出する部分に、室外面と同じ色調の外観色部材４５を取付けることで、上げ下げ窓の外観を向上させることが示されている。
　そうすると、甲第１号証記載の発明のサッシとして、複合サッシを採用するに際し、障子が閉じた状態における下枠構造における外観及び内観を統一するために、甲第２号証及び甲第３号証記載の発明を適用し、障子が閉じた状態で外障子を支持する外レールの屋内側の下枠カバーを、屋内側の樹脂枠と同色の樹脂製とし、内障子を支持する内レールの屋外側の下枠カバーを、屋外側の金属枠と同色の金属製とすることは、当業者が容易に想到しうることである。
　
　なお、被請求人は、甲第２号証の外側樹脂下枠３２ａは、見付け方向の半分にのみ設けられているもので、内障子の屋外側に金属下枠カバーを取り付けることを予想させるものではない旨主張するが、甲第１号証記載の発明は、障子が閉じた状態で外障子を支持する外レールの屋内側と、内障子を支持する内レールの屋外側部位との両方に下枠カバー（プレート３５ａ、３５ｂ）を取り付けるものであり、甲第１号証記載の発明のサッシとして、複合サッシを採用するに際し、室外側に露出する屋内側下枠カバー（プレート３５ｂ）のみを屋内側の樹脂枠と同色の樹脂製とすることは当業者が容易になしうることである。
　
　また、被請求人は、甲第３号証のものは、上げ下げ窓であり、「内レールと外レール間」との概念が存在しないから、甲第１号証に適用する動機付けは存在しない旨、主張するが、甲第３号証記載の発明には、屋内側から見える部分（室内側に露出する部分）には、屋内側枠材と同じ色の樹脂製部材を取付け、屋外側から見える部分（室外側に露出する部分）には、屋外側枠材と同じ色の金属製部材を取付け、外観及び内観を統一するとの技術思想が示されているのであり、甲第１号証記載の発明を適用するサッシとして、アルミニウム製金属枠と該金属枠の屋内側に配置された樹脂枠とを備えた複合サッシを採用するに際して、上記甲第３号証記載の発明に示される技術思想を適用して、屋内側から見える、障子が閉じた状態で外障子を支持する屋外側下レールの屋内側下枠カバーを屋内側の樹脂枠と同色の樹脂製とし、屋外側から見える、障子が閉じた状態で内障子を支持する内レールの屋外側下枠カバーを、屋外側の金属枠と同色の金属製とすることが困難であるとはいえない。
　
（３）さらに、上記相違点３について検討すると、下枠上に配置するカバーの設置手段として、カバーに脚部を設けて、下枠に載置することは甲第４号証（記載事項(4c)）の他、甲第２号証の【図１】にも記載されいるように周知の手段であり、甲第１号証記載の発明において、下枠カバーに脚部を設けることは当業者が容易になしうることである。
　
（４）本件特許発明の作用効果について検討すると、下枠の内レールと外レールとの間には下枠カバーを突合せ連続させることによって高さが同じ一連のカバーが形成されているので、段差が解消されるだけでなく、内レールと外レールとの間の溝が全体的に底上げされ見た目の体裁がよくなる、また、下枠カバーが見付け方向に移動することがなく、常に安定した状態となるとの効果、中央気密ブロックによって、内障子と外障子との召し合せ框間の気密を保持することができるとの効果は、甲第１号証記載の発明も有しているものであり、内障子と外障子とが閉じた状態では、樹脂下枠カバーの色は屋
内側の樹脂枠と同色であり、金属下枠カバーの色は屋外側の金属枠と同色であるから、屋内側からみた内観だけでなく屋外側からみた外観も向上するとの効果は、甲第１号証ないし甲第３号証記載の発明から予測できることであって、本件特許発明の作用効果は全体として、甲第１号証ないし甲第４号証から予測できる程度のことである。
　
　したがって、本件特許発明は、甲第１号証ないし甲第４号証に記載された発明に基いて当業者が容易に発明をすることができたものである。
　
第５　むすび 
　以上のとおり、本件特許発明は、甲第１号証ないし甲第４号証に記載された発明に基いて当業者が容易に発明をすることができたものであり、特許法第２９条第２項の規定に違反してなされたものであるから、本件特許発明に係る特許は、同法第１２３条第１項第２号に該当し、無効とすべきものである。
　審判に関する費用については、特許法第１６９条第２項において準用する民事訴訟法第６１条の規定により、被請求人が負担すべきものとする。
　よって、結論のとおり審決する。